(57)【要約】【課題】  室内機の内部に備えられる空気浄化装置、熱交換機、及び送風機などの掃除や修理などが容易であると共に、室内機の前面にキズが生じたり、色が褪せた場合に、前面の取替えを容易に行える空気調和機用室内機を提供する。【解決手段】  本発明に係る空気調和機用室内機は、内部に熱交換機、送風機、及び少なくとも一つのフィルタを収容し、空気吸入口、空気吐出口、及び前面に所定の大きさで配置される開口部を少なくとも一つずつ有するキャビネットと、キャビネットの一方に回転可能に連結され、キャビネットの前面をカバーし、キャビネットの前面の外観をなす前面パネルと、を備えることを特徴とする。【選択図】  図４
2005106457.tif 000002
【特許請求の範囲】
【請求項１】
内部に熱交換機、送風機、及び少なくとも一つのフィルタを収容し、空気吸入口、空気吐出口、及び前面に所定の大きさで配置される開口部を少なくとも一つずつ有するキャビネットと、
前記キャビネットの一方に回転可能に連結され、前記キャビネットの前面をカバーし、前記キャビネットの前面の外観をなす前面パネルと、
を備える空気調和機用室内機。
【請求項２】
前記キャビネットは、
ベースと、
前記ベースの上面の後方に配置され、前面が開放された後方キャビネットと、
前記ベースの上面の前方に配置され、前記後方キャビネットの前端に結合され、前面に前記開口部を有する前方キャビネットと、
を備えることを特徴とする請求項１に記載の空気調和機用室内機。
【請求項３】
前記キャビネットの開口部は、
前記前面パネルが開いた状態で、前記キャビネットの内部に備えられる前記熱交換機の掃除及び修理作業を行えるように、前記熱交換機の前方に配置されることを特徴とする請求項１に記載の空気調和機用室内機。
【請求項４】
前記キャビネットの開口部は、
前記前面パネルが開いた状態で、前記キャビネットの内部に備えられる前記送風機の掃除及び修理作業を行えるように、前記送風機の前方に配置されることを特徴とする請求項１に記載の空気調和機用室内機。
【請求項５】
前記キャビネットの開口部を開閉する遮蔽板をさらに備えることを特徴とする請求項１に記載の空気調和機用室内機。
【請求項６】
前記遮蔽板は、
前記開口部に対応するように、前記前面パネルの後面に配置され、前記開口部を開閉することを特徴とする請求項５に記載の空気調和機用室内機。
【請求項７】
前記空気吸入口を介して吸入される空気中の異物質を除去するフィルタをさらに備えることを特徴とする請求項１に記載の空気調和機用室内機。
【請求項８】
前記フィルタは、
前記前面パネルが開いた状態で、前記キャビネットの前方で前記キャビネットの開口部を介して投入、又は引き出されることを特徴とする請求項７に記載の空気調和機用室内機。
【請求項９】
前記前面パネルは、
前記カラー及びデザインの変更が可能なように備えられることを特徴とする請求項１に記載の空気調和機用室内機。
【請求項１０】
前記前面パネルは、
前記カラーを有するカラープレートと、
前記カラープレートの後面に配置されるリアプレートと、
を備えることを特徴とする請求項９に記載の空気調和機用室内機。
【請求項１１】
前記前面パネルは、
前記カラープレートの前面に配置される透明なガラスプレートをさらに備えることを特徴とする請求項１０に記載の空気調和機用室内機。
【請求項１２】
前面に所定の大きさで配置される少なくとも一つの開口部を有する前方キャビネットと、該前方キャビネットの後方に連結される後方キャビネットとを含み、内部に熱交換機、送風機、及び少なくとも一つのフィルタを収容し、空気吸入口と空気吐出口が少なくとも一つ形成されるキャビネットと、
前記キャビネットの前面の外観をなすように、前記キャビネットの一方に回転可能に連結され、前記キャビネットの前面をカバーし、カラー変更の可能な前面パネルと、
を備えることを特徴とする空気調和機用室内機。
【請求項１３】
前記キャビネットは、
前記前方キャビネットと後方キャビネットの下部を支持し、前面に配置される前面空気吸入口を有するベースをさらに備えることを特徴とする請求項１２に記載の空気調和機用室内機。
【請求項１４】
前記キャビネットの開口部は、
前記前面パネルが開いた状態で、前記キャビネットの内部に配置される前記熱交換機の掃除及び修理作業を行えるように、前記熱交換機の前方に配置されることを特徴とする請求項１２に記載の空気調和機用室内機。
【請求項１５】
前記熱交換機は、
前記キャビネットの内部の上部空間に備えられる請求項１４に記載の空気調和機用室内機。
【請求項１６】
前記キャビネットの開口部は、
前記前面パネルが開いた状態で、前記キャビネットの内部に備えられる前記送風機の掃除及び修理作業を行えるように、前記送風機の前方に配置されることを特徴とする請求項１２に記載の空気調和機用室内機。
【請求項１７】
前記送風機は、
前記キャビネットの内部の下部空間に備えられることを特徴とする請求項１６に記載の空気調和機用室内機。
【請求項１８】
前記フィルタは、
前記空気吸入口と、前記送風機との間に配置され、前記空気吸入口から吸入される空気中の異物質を除去し、前記前面パネルが開いた状態で前記キャビネットの開口部を介して投入又は引出が可能なように備えられることを特徴とする請求項１２に記載の空気調和機用室内機。
【請求項１９】
前記前面パネルは、
前記カラーを有するカラープレートと、
前記カラープレートの後面に配置されるリアプレートと、
を備えることを特徴とする請求項１２に記載の空気調和機用室内機。
【請求項２０】
前記前面パネルは、
前記カラープレートの前面に配置される透明なガラスプレートをさらに備えることを特徴とする請求項１９に記載の空気調和機用室内機。
【発明の詳細な説明】
【技術分野】
【０００１】
本発明は、分離型空気調和機に関し、特に室内に設置され、室内を冷暖房する空気調和機用室内機に関する。
【背景技術】
【０００２】
一般に、空気調和機は、圧縮機と熱交換機とを備え、冷媒を流動させ、住居空間、食堂、図書館、または事務室などのような室内空間を冷房、または暖房する装置として、通常、分離型と一体型の空気調和機に区分される。
【０００３】
分離型空気調和機は、室内を冷房または暖房する熱交換機が設置された室内機と、室外空気と熱交換する熱交換機と冷媒を高温、高圧で圧縮して吐き出す圧縮機とが設置された室外機とからなる。  
室内機と室外機とは分離され、それぞれ室内と室外とに設置され、これらは互いに冷媒配管によって連結されている。
一方、一体型空気調和機は、室外機と室内機とが相互に独立した形態で分離されず、一体に形成され、冷却放熱の機能を一体化して家屋の壁に穴を開けたり、窓にかけたりして直接設置される。
【０００４】
図１乃至図３を参照すると、分離型空気調和機の室内機は、ベース１と、該ベース１の上部に結合され、前面が開放された後方キャビネット２と、該キャビネット２の前面に結合される前方キャビネット４と、後方キャビネット２と前方キャビネット４とによって形成された空間の上部に設置され、室内で吸入された空気と熱交換をする熱交換機３０とを備える。  
【０００５】
前方キャビネット４の両側面は傾斜して形成され、前方キャビネット４は、前面の上部５に形成された上部空気吐出口４ａと、左、右側面の上部に形成された側面空気吐出口４ｂ、４ｃと、前面の下部６の左、右側面に形成された側面空気吸入口４ｄ、４ｅとを有する。
【０００６】
前方キャビネット４には、上部空気吐出口４ａを開閉できるように、前方キャビネット４の前面に昇降可能に設置される開閉パネル１０と、該開閉パネル１０が上昇して、上部空気吐出口４ａを閉める時、開閉パネル１０と、前方キャビネット４間の段差を解消できるように、前方キャビネット４の前面に前後の動きが可能なように設置される前後移動パネル１２が設置される。
【０００７】
また、前方キャビネット４には、側面空気吐出口４ｂ、４ｃを開閉すると同時に、側面空気吐出口４ｂ、４ｃを介して吐き出される空気の風向を調節できるように、左、右ベイン１４、１６が回転可能に装着され、側面空気吸入口４ｄ、４ｅを保護するための左、右グリル７、８が開閉可能に装着される。そして、各左、右グリル７、８の背面には、側面空気吸入口４ｄ、４ｅを通過した空気に含まれる異物質を除去するエアフィルタ（図示せず）が装着される。
【０００８】
前方キャビネット４には、開閉パネル１０を昇降させるモータとギアなどの駆動手段（図示せず）、前後移動パネル２を動かすモータとギアなどの駆動手段（図示せず）、及びそれぞれの左、右ベイン１４、１６を回転させるためのモータ（図示せず）などが備えられる。
【０００９】
上記のように構成された一般的な空気調和機の室内機は、送風機２０が駆動すると、左、右吸入グリル７、８と、エアフィルタ（図示せず）を介して室内の空気を内部に吸入し、塵などの異物質が除去された空気を熱交換機３０に送風して熱交換させた後、各空気吐出口４ａ、４ｂ、４Ｃを介して室内に吐き出すことにより、室内を冷房または暖房する。
【発明の開示】
【発明が解決しようとする課題】
【００１０】
しかしながら、上記の構成からなる室内機には次のような問題点がある。
【００１１】
第一に、室内機の内部の送風機、熱交換機、または電気集塵機などの掃除、または維持及び補修のために、前方キャビネットを分離しなければならず、エアフィルタの掃除や交換のために、吸入グリル７、８を分離しなければならないので不便である。
第二に、開閉パネル１２及び前後移動パネル１２によって前方キャビネット４の構造が複雑であった。
第三に、前面空気吐出口４ａを介して熱交換機３０の上部が見えるため、美観上良くない。
第四に、前方キャビネット４の前面にキズが生じたり、色が褪せた場合、カラーなどの変更や取替えが容易ではない。
【００１２】
上記の必要性に応じて、室内機の内部構成の掃除や修理が容易で、かつ室内機の前面のカラーやデザインの変更が容易であり、簡略化された構造を有する空気調和機用室内機の開発が要求されている。
【００１３】
本発明は、上記の問題点を解決するためのもので、その目的は、室内機の内部に備えられる空気浄化装置、熱交換機、及び送風機などの掃除や修理などが容易な空気調和機用室内機を提供することにある。
【００１４】
また他の目的は、室内機の前面にキズが生じたり、色が褪せた場合に、前面の取替えを容易に行える空気調和機用室内機を提供することにある。
【課題を解決するための手段】
【００１５】
上記目的を達成するために、本発明に係る空気調和機用室内機は、内部に熱交換機、送風機、及び少なくとも一つのフィルタを収容し、空気吸入口、空気吐出口、及び前面に所定の大きさで配置される開口部を少なくとも一つずつ有するキャビネットと、前記キャビネットの一方に回転可能に連結され、前記キャビネットの前面をカバーし、前記キャビネットの前面の外観をなす前面パネルと、を備えることを特徴とする。
【００１６】
前記キャビネットは、ベースと、前記ベースの上面の後方に配置され、前面が開放された後方キャビネットと、前記ベースの上面の前方に配置され、前記後方キャビネットの前端に結合され、前面に前記開口部を有する前方キャビネットと、を備える。
【００１７】
前記キャビネットの開口部は、前記前面パネルが開いた状態で、前記キャビネットの内部に備えられる前記熱交換機の掃除及び修理作業を行えるように、前記熱交換機の前方に配置される。
【００１８】
前記キャビネットの開口部は、前記前面パネルが開いた状態で、前記キャビネットの内部に備えられる前記送風機の掃除及び修理作業を行えるように、前記送風機の前方に配置される。
【００１９】
前記空気調和機用室内機は、前記キャビネットの開口部を開閉する遮蔽板をさらに備える。
【００２０】
前記遮蔽板は、前記開口部に対応するように、前記前面パネルの後面に配置され、前記開口部を開閉する。
【００２１】
そして、空気調和機用室内機は、前記空気吸入口を介して吸入される空気中の異物質を除去するフィルタをさらに備える。
【００２２】
前記フィルタは、前記前面パネルが開いた状態で、前記キャビネットの前方で前記キャビネットの開口部を介して投入、又は引き出される。
【００２３】
前記キャビネットは、前記キャビネットの前方で前記フィルタが投入、又は引き出される開口部を有することが好ましい。
【００２４】
前記前面パネルは、前記カラー及びデザインの変更が可能なように備えられる。
【００２５】
このために、前記前面パネルは、前記カラーを有するカラープレートと、前記カラープレートの後面に配置されるリアプレートと、を備える。
【００２６】
前記前面パネルは、前記カラープレートの前面に配置される透明なガラスプレートをさらに備えることが好ましい。
【００２７】
他の形態として本発明に係る空気調和機用室内機は、前面に所定の大きさで配置される少なくとも一つの開口部を有する前方キャビネットと、該前方キャビネットの後方に連結される後方キャビネットとを含み、内部に熱交換機、送風機、及び少なくとも一つのフィルタを収容し、空気吸入口と空気吐出口が少なくとも一つ形成されるキャビネットと、前記キャビネットの前面の外観をなすように、前記キャビネットの一方に回転可能に連結され、前記キャビネットの前面をカバーし、カラー変更の可能な前面パネルと、を備えることを特徴とする。
【００２８】
前記キャビネットは、前記前方キャビネットと後方キャビネットの下部を支持し、前面に配置される前面空気吸入口を有するベースをさらに備える。
【００２９】
前記キャビネットの開口部は、前記前面パネルが開いた状態で、前記キャビネットの内部に配置される前記熱交換機の掃除及び修理作業を行えるように、前記熱交換機の前方に配置される。
【００３０】
前記熱交換機は、前記キャビネットの内部の上部空間に備えられる。
【００３１】
前記キャビネットの開口部は、前記前面パネルが開いた状態で、前記キャビネットの内部に備えられる前記送風機の掃除及び修理作業を行えるように、前記送風機の前方に配置される。
【００３２】
前記送風機は、前記キャビネットの内部の下部空間に備えられる。
【００３３】
前記フィルタは、前記空気吸入口と、前記送風機との間に配置され、前記空気吸入口から吸入される空気中の異物質を除去し、前記前面パネルが開いた状態で前記キャビネットの開口部を介して投入又は引出が可能なように備えられる。
【００３４】
前記前面パネルは、前記カラーを有するカラープレートと、前記カラープレートの後面に配置されるリアプレートと、を備える。
【００３５】
前記前面パネルは、前記カラープレートの前面に配置される透明なガラスプレートをさらに備える。
【発明の効果】
【００３６】
本発明に係る空気調和機用室内機には次のような効果がある。
【００３７】
第一に、本発明に係る空気調和機用室内機によれば、キャビネットの前面に前面パネルによってカバーされる開口部が形成され、キャビネットの内部に収容される各種の構成品の掃除や修理が容易である。
【００３８】
第二に、本発明に係る空気調和機用室内機によれば、空気浄化装置の着脱が簡単かつ容易であり、空気浄化装置の着脱時にキャビネットや周辺部品の破損のおそれがない。
【００３９】
第三に、本発明に係る空気調和機用室内機によれば、キャビネットの前面をカバーし、室内機の前面の外観をなす前面パネルが備えられ、前面パネルにキズが生じたり、色が褪せる場合、前面パネルの取替えを容易に行える。
【発明を実施するための最良の形態】
【００４０】
以下、本発明に係る空気調和用室内機の好適な実施の形態について、添付の図面に基づいて詳細に説明する。ここで、同一の構成については同一名称及び同一符号を付し、その付加的な説明は省略する。
【００４１】
図４乃至図１０に示すように、本発明に係る空気調和用室内機の一実施形態は、その内部に送風機８０と熱交換機９０などの装置を収容し、空気吸入口７０ａ、７０ｂ、７０ｃと、空気吐出口７２ａ、７２ｂ、７２ｃとが形成されたキャビネット、及び該キャビネットの一方に回転可能に連結され、キャビネットの前面をカバーする前面パネルとを備える。
【００４２】
キャビネットは、ベース５０、及び該ベース５０の上面にそれぞれ設置される後方キャビネット６０と前方キャビネット７０とを備える。ここで、後方キャビネット６０は、前面が開放され、かつ水平断面の形状が前方へ行くほど拡大される梯形からなり、室内機を室内の角に設置する場合、室内の空間活用度を向上させる。
【００４３】
前方キャビネット７０は、後方キャビネット６０の前端に結合され、後面が開放され、かつ水平断面の形状が後方へ行くほど拡大される梯形からなり、前面７１に対して傾斜した左右両側面７３、７４と、前面７１に垂直な上面７２とを有する。
【００４４】
空気吸入口７０ａ、７０ｂ、７０ｃは、ベース５０の前面に横長に形成され、室内から吸入される空気が通過する前面空気吸入口７０ａと、前方キャビネット７０の下部の両側面７３ａ、７４ａに縦長に形成され、室内から吸入される空気が通過する側面空気吸入口７０ｂ、７０ｃとで構成されている。
【００４５】
空気吐出口７２ａ、７２ｂ、７２ｃは、前方キャビネット７０の上面７２に横長に形成され、キャビネットの内部で熱交換機９０と熱交換過程を経た空気が室内に吐き出される上部空気吐出口７２ａと、前方キャビネットの上部の両側面７３ｂ、７４ｂに縦長に形成され、キャビネットの内部で熱交換機９０と熱交換過程を経た空気がキャビネットの側に吐き出される側面空気吐出口７２ｂ、７２ｃとで構成されている。
【００４６】
上記のように構成された空気吸入口７０ａ、７０ｂ、７０ｃと、空気吐出口７２ａ、７２ｂ、７２ｃによって、室内機は、３面に空気を吸入した後３面に空気を吐き出す。
【００４７】
一方、本発明に係る空気調和機用室内機は、ユーザーが前面パネル１００が開いた状態で熱交換機９０と送風機８０、及び空気浄化装置を掃除、修理、または取替え可能なように構成されている。
【００４８】
このために、前方キャビネット７０は、その上部の前面に該キャビネットの上部空間の構成を露出させるよう所定の大きさで形成される第１開口部７５を有し、側面空気吸入口７０ｂ、７０ｃが形成される下部の両側面７３ａ、７４の間の下部前面には、キャビネットの下部空間の構成を露出させる第２開口部を有する。
【００４９】
ここで、側面空気吸入口７０ｂ、７０ｃが形成される下部両側面７３ａ、７４ａは、側面空気吐出口７２ｂ、７２ｃが形成される上部の両側面７３ｂ、７４ｂの下端に分離可能に連結される。
下部の両側面７３ａ、７４ａを上部の両側面７３ｂ、７４の下端に結合するために、下部の両側面７３ａ、７４ａの上端の一方には、それぞれ第１締結ホール７３ｃ、７４ｃが形成され、前方キャビネット７０の上部前面の下端の両側に第１締結ホール７３ｃ、７４ｃに対応する第２締結ホール７３ｄ、７４ｄが形成され、ボルトＳ１によって相互に固定される。
【００５０】
そして、下部の両側面７３ａ、７４ａの下端には、それぞれ下向きに突出した結合突起７３ｅ、７４ｅが形成され、ベース５０の上面の両側には、各結合突起７３ｅ、７４ｅが挿入される結合溝５１、５２が形成され、前方キャビネット７０と、ベース５０とを相互に結合させる。
【００５１】
前述した構成に加えて、ベース５０には、前面の空気吸入口７０ａを選択的に開閉する下部ベイン７４が回転可能に設置され、前方キャビネット７０の上部には、上部空気吐出口７２ａを選択的に開閉し、かつ上部空気吐出口７２ａを介して室内に吐き出される空気が室内機の前方に吐き出されるよう風向を調節する上部ベイン７５が回転可能に設置される。
【００５２】
前方キャビネット７０の側面には、側面空気吐出口７２ｂ、７２ｃを選択的に開閉する側面吐出ベイン７６ａ、７６ｂと、側面空気吸入口を選択的に開閉する側面吸入ベイン７７ａ、７７ｂとが設置される。
【００５３】
側面吐出ベイン７６ａ、７６ｂのうち、前方キャビネット７０の左側面７３ｂに設置されるものを左側吐出ベイン７６ａ、そして、前方キャビネット７０の右側面７４ｂに設置されるものを右側吐出ベイン７６ｂという。そして、側面吸入ベイン７７ａ、７７ｂのうち、前方キャビネット７０の左側面７３ａに設置されるものを左側吸入ベイン７６ａ、そして、前方キャビネット７０の右側面７４ａに設置されるものを右側吐出ベイン７６ｂという。
【００５４】
ベイン７４、７５、７６ａ、７６ｂ、７７ａ、７７ｂは、それぞれモータなどの回転手段（図示せず）に連結され回転する。そして、モータは、制御部（図示せず）によって駆動し、室内機の未動作時には、各ベインが各空気吸入口７０ａ、７０ｂ、７０ｃと、各空気吐出口７２ａ、７２ｂ、７２ｃとを密閉して異物質の流入を防止し、室内機の動作時には、各ベインが各空気吸入口と空気吐出口を開放するように構成される。そして、上部ベイン７５と側面吐出ベイン７６ａ、７７ｂは、制御部によってオートスイングする。
【００５５】
上記のように構成されるキャビネットの内部には、上述したように、送風機８０と、熱交換機９０などの装置が設置される。
【００５６】
図４及び図５に示すように、送風機８０は、空気吸入口７０ａ、７０ｂ、７０ｃを介して室内の空気を吸入し、吸入された空気が熱交換機９０を経て空気吐出口７２ａ、７２ｂ、７２ｃを介して吐き出されるよう強制する装置として、キャビネットの内部の下側空間に設置された送風機ハウジング８１と、該送風機ハウジング８１の内部に設置される送風ファン（図示せず）とを含んでなり、送風機ハウジングの前面は開放され、空気吸入口を介して吸入される空気を案内するオリフィス８２に連結され、送風機ハウジング８１の上面には、熱交換機９０が位置する上方に空気を吐き出す空気吐出ホール（図示せず）が形成される。
【００５７】
熱交換機９０は、送風ファン８０の上部に傾斜して設置され、冷媒が通過する冷媒管と、該冷媒管に装着された複数のピンとからなり、熱交換機９０には、空気との熱交換によって蒸発、又は凝縮された冷媒を室外機に案内する冷媒配管（図示せず）が連結される。
【００５８】
また、熱交換機９０の下側には、熱交換機９０の表面に生成され、落下する凝縮水を貯蔵できるようにパン９２が配置され、該パン９２の一方には、貯蔵された凝縮水を室内機の外部に排水するドレインホース（図示せず）が連結される。
【００５９】
上記の構成に加えて、空気調和機用室内機は、各空気吸入口７０ａ、７０ｂ、７０ｃを介してキャビネットの内部に吸入される室内空気中の各種の異物質を除去する空気浄化装置をさらに備える。
【００６０】
空気浄化装置は、各側面空気吸入口７０ｂ、７０ｃの内側に備えられる側面フィルタ２１０、２２０と、前面空気吸入口７０ａが形成されたベース５０の上部に備えられる下部フィルタセンブリ２３０とを有する。
【００６１】
ここで、側面フィルタ２１０、２２０は、前面パネル１００が開いた状態でキャビネットの前方でスライディングによって挿入及び引き出される。このために、前方キャビネット７０の下部の両側面７３ａ、７４ａの内壁には、それぞれ各側面フィルタ２１０、２２０が装着されるフィルタガイド７３ｆ、７４ｆが設置される。
ここで、各側面フィルタ２１０、２２０は、塵などの異物質を濾過する網フィルタなど、多様な構造からなり得る。
【００６２】
そして、下部フィルタセンブリ２３０は、複数のフィルタ２３１、２３２、２３３が上下に配置される構造からなる。
【００６３】
より詳細には、下部フィルタセンブリ２３０は、ベースの上部に装着される第１フィルタ２３１と、該第１フィルタ２３１の上側に備えられる第２フィルタ２３２と、及び第２フィルタ２３２の上側に備えられる第３フィルタ２３３とを備える。
【００６４】
第１フィルタ２３１は、前面空気吸入口７０ａと、下部ベイン７４によってベース５０の上側に案内される吸入空気中の塵などの異物質を濾過する網フィルタからなっている。
【００６５】
そして、第１フィルタ２３１がキャビネットの前方で前方キャビネットの下部の開口部分を介してスライディング挿入されるように、ベース５０の上面の両側でそれぞれ倒立した‘Ｌ’および鏡面対称‘Ｌ’形状に向き合うように突出して、第１フィルタ２３１の両側をガイドし、かつ支持する第１フィルタガイド２３１ａ、２３１ｂが装着され、第１フィルタ２３１の両側端の下面は、ベース５０によって支持され、第１フィルタ２３１の両側面と、両側端の上面は、第１フィルタガイド２３１ａ、２３１ｂによって支持される。
【００６６】
次に、第２フィルタ２３２と、第３フィルタ２３３は、別途のフィルタフレーム２３４の内部に装着され、第１フィルタ２３１の上側に備えられる。
【００６７】
第２フィルタ２３２は、ヘパフィルタ（HEPA:High Efficiency Particulate Air filters）と、該ヘパフィルタの上部に備えられるナノカーボンフィルタ（nano-carbon filters）と、該ナノカーボンフィルタの上部に備えられ、ナノカーボンフィルタのカーボンが飛ばされることを防止する不織布（non-woven fabric）と、及びフィルタを支持する支持フレームと、を備えることが好ましい。
【００６８】
第３フィルタ２３３は、ナノ銅フィルタと、ナノ銀フィルタ、及びナノ銅フィルタと、ナノ銀フィルタとを支持する支持フレームとを備える。
【００６９】
フィルタフレーム２３４は、第１フィルタ２３１の上側に備えられ、第２フィルタ２３２と、第３フィルタ２３３とを収容し、ベースの上面に形成される締結ホール５３と、フィルタフレーム２３４の両側面の下端で側方に突出する突起部に形成される締結ホール２３４ａとにボルトＳ２が締結され、相互に固定される。
【００７０】
フィルタフレーム２３４の装着を容易にするために、ベース５０の上面には、フィルタフレームの突起部の位置を整列させるアライン突起（図示せず）が形成されることが好ましい。アライン突起は、フィルタフレームの突起部の外郭プロファイルの一部分、または全部を支持するように上側に突出する。したがって、フィルタフレームの装着時に突起部をアライン突起と接触させると、フィルタフレーム２３４がベース５０の上部の正確な位置にローディングされる。
【００７１】
フィルタフレーム２３４をより詳細に説明すると、フィルタフレームは、前面空気吸入口７０ａを介して吸入される空気が第１フィルタ２３１を経てフィルタフレームを下部から上部に通過しながら、第２フィルタ２３２と第３フィルタ２３３によって浄化されるように上下面が開放された形状を有する。また、第２フィルタ２３２と第３フィルタ２３３がフィルタフレーム２３４の前方で挿入及び引き出されるように、前面が開放された形状を有する。
【００７２】
フィルタフレーム２３４の下部の内壁には、第２フィルタ２３２を支持しかつ案内する下部支持ガイド２３４ｂが備えられ、該下部支持ガイド２３４ｂの上側には、第３フィルタ２３３を支持しかつ案内する上部ガイド２３４ｃが備えられ、フィルタフレームの両側面の上端には、第３フィルタ２３３のフィルタフレーム２３４の上側への離脱を防止するよう内側に突出して形成される離脱防止突起２３４ｅが形成される。
【００７３】
ここで、下部支持ガイド２３４ｂは、第２フィルタ２３２の前端を支持する前端支持台と、そして、各前端支持台と、フィルタフレームの後側内壁とを連結し、第２フィルタの下面を支持する複数の下面支持台とを備える。上部支持ガイド２３４ｃは下部支持ガイド２３４ｂの形状と類似するのでその説明は省略する。
【００７４】
上記の構成に加え、多層のフィルタの上部、つまり、送風機８０の前方には、光触媒プラズマ空気清浄機２４０が設置される。
光触媒プラズマ空気清浄機２４０は、高電圧発生器、電離部、捕集部、及び光触媒フィルタを含む。ここで、高電圧発生部は、電離部に高電圧を印加して放電を誘導する。そして、電離部は、放電時に発生したエネルギーによって空気中の塵などを電離させ、光エネルギーを照射する。捕集部は、電離した塵などを捕集し、光触媒フィルタは、電離部から照射された光エネルギーによって分解された匂い粒子を捕集する。
【００７５】
光触媒プラズマ空気清浄機２４０の上部には、各ベイン７４、７５、７６ａ、７６ｂ、７７ａ、７７ｂに連結されたモータを制御する電装部品が内装されたコントロールボックス２５０が備えられる。
【００７６】
次に、キャビネットの前面をカバーする前面パネル１００は、前方キャビネット７０の一方に回転可能に連結され、前方キャビネット７０の前面７１をカバーし、室内機の前面の外観をなし、そのカラーやデザインなどの変更が容易な構造からなっている。
【００７７】
このために、前面パネル１００の右側の上端は、前方キャビネット７０の右側の上端にヒンジ連結部、または下側に突出した突起を有する上部ブラケット１０１などの回転連結部によって回転可能に連結かつ支持され、前面パネル１００の右側の下端は、ベース５０の上面の右側の前端にヒンジ連結部、または上側に突出した突起を有する下部ブラケット１０２などの回転連結部によって回転可能に連結かつ支持される。
【００７８】
前面パネル１００の後面の左側と、前方キャビネットの前面７１の左側には、前面パネル１００の閉まり状態を維持させる磁石１０３ａ、１０３ｂなどのロッキング手段が備えられる。勿論、前面パネル１００は、キャビネットの左側に連結されることもある。また、ロッキング手段は、後述する空気調和機用室内機の第３実施形態を示す図１３に示すように、前方キャビネット７０と、前面パネル１００のうち何れか一方に備えられる弾性材質のフック１０３ｃと、前方キャビネット７０と、前面パネル１００のうち他の一方に備えられるフックホルダ１０３ｄとで構成されえるなど、多様な変更が可能である。
【００７９】
前面パネル１００は、ガラスプレート１１０と、該ガラスプレートの後方に密着し、カラーを有するカラープレート１２０と、該カラープレートの後方に密着するリアプレート１３０と、そして、相互に密着したガラスプレート１１０と、カラープレート１２０と、リアプレート１３０の周縁を囲むように‘コ’字状端面の内側の溝を有する四角フレーム１４０とを備える。ここで、四角フレーム１４０は、カラープレート１２０の取替えが可能なように、四角フレーム１４０の前方フランジ１４０ａまたは後方フランジ１４０ｂが回転したり曲がりやすいように構成されることが好ましい。
【００８０】
上記の構成によって、ユーザーが前面パネルのカラーやデザインを変更したい場合、カラープレート１２０を取り替えることで、前面パネル１００のカラーやデザインを変更できる。
【００８１】
また、前面パネル１００は、空気調和機の運転情報の運転モードと希望温度などを表示するディスプレイ部１２１を有する。
【００８２】
また、前面パネル１００の後面には、前方キャビネット７０の上部の前面に形成される第１開口部７１ａと向き合う位置に、室内機の稼働中に第１開口部７１ａを介した空気漏洩を防止する遮蔽板１３１が配置されることが好ましい。
【００８３】
上記のように構成される本発明に係る室内機によって、図１１に示すように、前面パネル１００が開放されると、前方キャビネット７０の上部の前面に形成された第１開口部７１ａを介して熱交換機９０が露出し、送風機８０や空気浄化装置などが前方キャビネット７０の開口した下部を介して露出するので、ユーザーが室内機の前方で熱交換機９０や送風機８０などの装置を掃除、修理したり、各フィルタ２１０、２２０、２３１、２３２、２３３の掃除、取り替えのためにフィルタの挿入/引出が可能となる。
【００８４】
上記のように構成される本発明に係る空気調和機用室内機の動作を、第１実施形態に基づいて説明する。
【００８５】
まず、空気調和機に電源が印加され、冷房または暖房の運転モードが入力されると、上、下部ベイン７４、７５、及び前方キャビネットの側面に設置された側面吐出ベイン７６ａ、７６ｂと、側面吸入ベイン７７ａ、７７ｂとが各モータによって回転して、各空気吸入口７０ａ、７０ｂ、７０ｃと、空気吐出口７２ａ、７２ｂ、７２ｃを開放する。
【００８６】
そして、送風機８０が駆動しながら、室内の空気が各空気吸入口７０ａ、７０ｂ、７０ｃを介してキャビネットの内部に吸入される。吸入された空気は、空気浄化装置を構成する側面フィルタ２１０、２２０と、下部フィルタセンブリ２３０とを通過しながら浄化される。
【００８７】
より詳細には、ベース５０の前面の空気吸入口７０ａを介して吸入される空気は、下部フィルタセンブリ２３０の第１フィルタ２３１と、第２フィルタ２３２と、及び第３フィルタ２３３とを順次に通過しながら浄化され、前方キャビネット７０の側面の空気吸入口７０ｂ、７０ｃを介して吸入される空気は、側面フィルタ２１０、２２０を通過しながら浄化される。ここで、室内機が空気浄化を主目的にして稼働する場合には、室内機が、側面吸入ベイン７７ａ、７７ｂは閉まり、下部ベイン７５のみ開いた状態で運転され、前面空気吸入口７０ａのみを介して空気が吸入されるので、下部フィルタセンブリ２３０によって微塵まで除去され、室内への吐出空気がきれいに浄化される。
【００８８】
次に、フィルタ２１０、２２０、２３１、２３２、２３３を通過して浄化された空気は、送風機８０の前方に位置する光触媒プラズマ空気清浄機２４０を通過し、上記の過程で光触媒プラズマ空気清浄機２４０を通過する空気中の塵や匂い粒子がイオン化して捕集される。
【００８９】
上記のように浄化された空気は、送風機８０によって熱交換機９０側に送風された後、熱交換機の内部を流動する冷媒との熱交換過程を経て、冷却、または加熱された状態で空気吐出口７２ａ、７２ｂ、７２ｃを介して室内に吐き出され、室内を冷房、または暖房する。
【００９０】
一方、室内機に備えられた空気浄化装置の長期間使用によって下部フィルタセンブリ２３０の各フィルタ２３１、２３２、２３３と、側面フィルタ２１０、２２０に塵などの異物質が重なるようになると、ユーザーは、前面パネル１００を開け、開口した下部を介して、下部フィルタセンブリの各フィルタ２３１、２３２、２３３や各側面フィルタ２１０、２２０を前方キャビネット７０の前方に簡便に引き出すことができる。
そして、洗浄されたフィルタ、または新たなフィルタを挿入して組み立てた後、前面パネル１００を回転させ閉める。
【００９１】
熱交換機９０や送風機８０などの装置を修理、或いは掃除する場合にも、前面パネル１００が開いた状態で第１開口部７１ａと、第２開口部７１ｂとを介して熱交換機９０や送風機８０などの修理、或いは掃除作業を容易に行える。
【００９２】
また、ユーザーが室内機の前面カラーを変更したい場合、前面パネル１００に装着された既存のカラープレート１２０を新たなカラープレートに取り替えることで、室内機の前面カラーを簡便かつ容易に変更できる。
【００９３】
次に、図１１乃至図１５を参照にして、本発明に係る空気調和機用室内機の第２実施形態及び第３実施形態を説明する。ここで、図１１は、本発明に係る空気調和機用室内機の第２実施形態を示す斜視図で、図１２は、本発明に係る空気調和機用室内機の第３実施形態を示す正面図である。
【００９４】
図１１を参照すると、本発明に係る空気調和機用室内機の第２実施形態は、側面の空気吸入口が形成される前方キャビネット７０の下部の両側面にそれぞれ吸入グリル７８が配置される
【００９５】
一方、図１２乃至図１５に示すように、本発明に係る空気調和機用室内機の第３実施形態に備えられる前方キャビネット７０の左側面には、左側ベイン７９ａが形成され、左側空気吐出口と、左側空気吸入口とを同時に開閉し、前方キャビネット７０の右側面には、右側ベイン７９ｂが形成され、右側空気吐出口と、右側空気吸入口とを同時に開閉する。
【００９６】
そして、前方キャビネット７０の前面をカバーする前面パネル１００の回転のために、本実施形態において、前面パネルは、前方キャビネットにヒンジ部２００によって連結される。
【００９７】
ヒンジ部２００は、その一端が前面パネル１００の右側の上端に固定され、他端には、下側に突出した回転軸（図示せず）を有する上部ヒンジ２０１と、前方キャビネットの上面７２の右側前端に備えられ、上部ヒンジ２０１が着脱可能に連結されるヒンジホルダ２０２とを備える。
【００９８】
ヒンジホルダ２０２は、上部ヒンジ２０１の回転軸が回転可能に挿入されるヒンジ溝（図示せず）を備える。そして、ヒンジホルダ２０２は、前面パネル１００が所定の角度以上に開くことを防止するストッパ２０２ａをさらに備えることが好ましい。ストッパ２０２ａは、前面パネル１００の回転時にその前面パネルと共に回転する上部ヒンジ２０１が掛るように、ヒンジホルダ２０２の上面に所定の形状で段差があるように形成される。
【００９９】
上記のように構成されるヒンジ部２００において、上部ヒンジ２０１は、ヒンジホルダ２０２との連結のために、又、前面パネル１００の回転時におけるストッパ２０２ａによる衝撃による破損防止のために、弾性に優れた部材からなることが好ましい。
【０１００】
図示してはいないが、前面パネル１００の右側の下端には下部ヒンジが備えられ、前方キャビネットの右側の下端には、下部ヒンジが連結される下部ヒンジホルダが備えられる。
【０１０１】
また、前面パネル１００の左側上端には、上述したフック１０３ｃが備えられ、前方キャビネットの上面の左側前端には、上述したフックホルダ１０３ｄが備えられ、前面パネル１００を前方キャビネット７０に固定する。
【０１０２】
他の構成においては、第１実施形態と同一または類似するのでその説明を省略する。
【０１０３】
上述した実施の形態以外にも、本発明は、その趣旨や範疇から外れず他の特定の形態で具体化され得ることは、該当技術に通常の知識を有する者には自明であろう。したがって、本発明は、上記の詳細な説明に限定されず、添付の請求項の範囲及びその均等範囲内で変更が可能である。
【図面の簡単な説明】
【０１０４】
【図１】一般的な空気調和機用室内機において、空気吐出口の密閉状態を示す斜視図である。
【図２】一般的な空気調和機用室内機において、空気吐出口の開放状態を示す斜視図である。
【図３】一般的な空気調和機用室内機において、空気吐出口の開放状態を示す正面図である。
【図４】本発明に係る空気調和機用室内機の一実施形態を分解して示す斜視図である。
【図５】本発明に係る空気調和機用室内機の一実施形態において、前面パネルの開放状態を示す斜視図である。
【図６】本発明に係る空気調和機用室内機の一実施形態における前面パネルの水平断面を示す断面図である。
【図７】本発明に係る空気調和機用室内機の一実施形態において、空気吸入口及び空気吐出口の密閉状態を示す斜視図である。
【図８】本発明に係る空気調和機用室内機の一実施形態において、空気吸入口及び空気吐出口の密閉状態を示す正面図である。
【図９】本発明に係る空気調和機用室内機の一実施形態において、空気吸入口及び空気吐出口の開放状態を示す斜視図である。
【図１０】本発明に係る空気調和機用室内機の一実施形態において、空気吸入口及び空気吐出口の開放状態を示す正面図である。
【図１１】本発明に係る空気調和機用室内機の他の実施の形態を示す斜視図である。
【図１２】本発明に係る空気調和機用室内機のまた他の実施の形態を示す正面図である。
【図１３】図１２に示す空気調和機用室内機を示す斜視図である。
【図１４】図１３の‘Ａ’部を拡大して示す斜視図である。
【図１５】図１３の‘Ｂ’部を拡大して示す斜視図である。
【符号の説明】
【０１０５】
５０  ベース
６０  後方キャビネット
７０  前方キャビネット
７０ａ  前面空気吸入口
７０ｂ、７０ｃ  側面空気吸入口
７２ａ  上部空気吐出口
７２ｂ、７２ｃ  側面空気吐出口
７４  下部ベイン
７５  上部ベイン
７６ａ、７６ｂ  側面吐出ベイン
７７ａ、７７ｂ  側面吸入ベイン
８０  送風機
９０  熱交換機
１００  前面パネル
２１０、２２０  側面フィルタ
２３０  下部フィルタセンブリ
【図１】
2005106457.tif 000003
【図２】
2005106457.tif 000004
【図３】
2005106457.tif 000005
【図４】
2005106457.tif 000006
【図５】
2005106457.tif 000007
【図６】
2005106457.tif 000008
【図７】
2005106457.tif 000009
【図８】
2005106457.tif 000010
【図９】
2005106457.tif 000011
【図１０】
2005106457.tif 000012
【図１１】
2005106457.tif 000013
【図１２】
2005106457.tif 000014
【図１３】
2005106457.tif 000015
【図１４】
2005106457.tif 000016
【図１５】
2005106457.tif 000017